(57)【要約】【課題】ブラダを挿着する際に該ブラダが破損しないようにするとともに、円滑にブラダを装着できるようにする。    【解決手段】内周面にねじ部３ａと係止段部３ｂとを有する本体開口部３の外周面に、ブラダ挿入シート５の固定部５ｃを巻き付け、筒状にして固定する工程と、前記ブラダ挿入シート５を折り返して該シートの覆い部５ｄを前記本体開口部３内に挿入し、前記ねじ部３ａと前記係止段部３ｂを覆う工程と、前記本体開口部内にブラダ９を挿入する工程と、前記ブラダ挿入シート５を前記本体開口部３から取り外す工程と、前記ブラダ９のフランジ部９ａを前記係止段部３ｂに係合させる工程と、前記本体開口部に蓋体１２を螺着して前記フランジ部９ａを押圧し固定する工程と、を備えている。    【選択図】  図３
2008215375.tif 000002
【特許請求の範囲】
【請求項１】
内周面にねじ部を有する本体開口部の外周面に、ブラダ挿入シートの固定部を巻き付け、筒状にして固定する工程と、
前記ブラダ挿入シートを折り返して該シートの覆い部を前記本体開口部内に挿入し、前記ねじ部を覆う工程と、
前記本体開口部内にブラダを挿入する工程と；
前記ブラダ挿入シートを前記本体開口部から取り外す工程と、
を備えていることを特徴とするアキュムレータのブラダ挿着方法。
【請求項２】
内周面にねじ部と係止段部とを有する本体開口部の外周面に、ブラダ挿入シートの固定部を巻き付け、筒状にして固定する工程と、
前記ブラダ挿入シートを折り返して該シートの多い部を前記本体開口部内に挿入し、前記ねじ部と前記係止段部を覆う工程と、
前記本体開口部内にブラダを挿入する工程と；
前記ブラダ挿入シートを前記本体開口部から取り外す工程と、
前記ブラダのフランジ部を前記係止段部に係合させる工程と、
前記本体開口部に蓋体を螺着して前記フランジ部を押圧し固定する工程と、
を備えていることを特徴とするアキュムレータのブラダ挿着方法。
【請求項３】
前記ブラダ挿入シートは、長方形状のビニールシートであり、前記固定部は一方の長辺側に形成され、該固定部には粘着テープが設けられていることを特徴とする請求項１、又は、２記載のアキュムレータのブラダ挿着方法。
【発明の詳細な説明】
【技術分野】
【０００１】
この発明は、衝撃緩衝、脈動吸収、ショックアブソーバ等に用いられるアキュムレータに関するものであり、更に述べると、ブラダを内蔵するアキュムレータに関するものである。
【背景技術】
【０００２】
アキュムレータは、ブラダを内蔵しているが、このブラダはゴムや合成樹脂等の弾性材料で形成され、その開口部には固定用のフランジ部が設けられている。このブラダをアキュムレータに挿着する際には、アキュムレータの本体開口部から前記ブラダを挿入している（例えば、特許文献１、参照）。
【０００３】
【特許文献１】特開平５−１７０１号公報
【発明の開示】
【発明が解決しようとする課題】
【０００４】
本体開口部の内周面には、蓋体が螺着されるねじ部とブラダのフランジ部を係止する係止段部とが設けられている。そのため、ブラダを本体開口部内に挿入する際に、該ブラダは、前記ねじ部に接触し破損することがあるとともに、該ブラダが前記係止段部に引っかかり円滑に挿入するが困難となる。
【０００５】
この発明は、上記事情に鑑み、ブラダを挿着する際に該ブラダが破損しないようにすることを目的とする。他の目的は円滑にブラダを挿着できるようにすることである。
【課題を解決するための手段】
【０００６】
この発明は、内周面にねじ部を有する本体開口部の外周面に、ブラダ挿入シートの固定部を巻き付け、筒状にして固定する工程と、前記ブラダ挿入シートを折り返して該シートの覆い部を前記本体開口部内に挿入し、前記ねじ部を覆う工程と、前記本体開口部内にブラダを挿入する工程と、前記ブラダ挿入シートを前記本体開口部から取り外す工程と、を備えていることを特徴とする。
【０００７】
この発明は、内周面にねじ部と係止段部とを有する本体開口部の外周面に、ブラダ挿入シートの固定部を巻き付け、筒状にして固定する工程と、前記ブラダ挿入シートを折り返して該シートの覆い部を前記本体開口部内に挿入し、前記ねじ部と前記係止段部を覆う工程と、前記本体開口部内にブラダを挿入する工程と、前記ブラダ挿入シートを前記本体開口部から取り外す工程と、前記ブラダのフランジ部を前記係止段部に係合させる工程と、前記本体開口部に蓋体を螺着して前記フランジ部を押圧し固定する工程と、を備えていることを特徴とする。
【０００８】
この発明の前記ブラダ挿入シートは、長方形状のビニールシートであり、前記固定部は一方の長辺側に形成され、該固定部には粘着テープが設けられていることを特徴とする。
【発明の効果】
【０００９】
この発明は、以上のように構成したので、本体開口部内にブラダを挿着する際には、該本体開口部の内周面のねじ部はブラダ挿入シートにより覆われている。そのため、ブラダが前記ねじ部に直接接触することがないので、破損事故を防止することができる。又、本体開口部の内周面のねじ部と係止段部をブラダ挿入シートにより覆うと、ブラダは該シートに案内されながら滑るようにして降下する。そのため、ブラダを円滑に挿入することができる。
【発明を実施するための最良の形態】
【００１０】
この発明の実施の形態を図１〜図５により説明する。
アキュムレータの容器本体１の一端には、図示しない流体出入口が設けられ、他端には本体開口部３が設けられている。この本体開口部３の内周面には、ねじ部３ａと係止段部３ｂが設けられている。
【００１１】
前記本体開口部３の外周面は、ブラダ挿入シート５により覆われている。
図１に示す様に、このシート５は、長方形状のビニールシートであり、例えば、長辺の長さは、前記本体開口部３の外周長さより長く形成され、又、短辺５ｂの長さは、本体開口部３の長さの１．５倍以上の長さに形成されている。前記シート５は、固定部５ｃと覆い部５ｄとを備えており、その長辺５ａの一方側に位置する固定部５ｃには、粘着テープ７が設けられている。
【００１２】
ブラダ９は、ゴムや合成樹脂等の弾性材料で形成され、その開口部にはフランジ部９ａが設けられている。
【００１３】
次に本件実施の形態の作動について説明する。
図２に示すように、本体開口部３の外周面に粘着テープ７を押し付けながらビニールシート５の固定部５ｃを巻き付けて筒状にしながら前記固定部５ｃを固定する。このビールシート５は前記外周面全周を完全に覆うために、一回半ほど巻き付けることが好ましい。
【００１４】
図３に示すように、前記ビニールシート５の覆い部５ｄを内側に折り込んで前記本体開口部３内に挿入し、前記ねじ部３ａと前記係止段部３ｂを前記ビニールシートの覆い部５ｃで完全に覆う。
【００１５】
図４に示すように、ブラダ９を持ち、該ブラダ９の底部９ｂから本体開口部３内に挿入する。この時、ブラダ９は、ビニールシート５の固定部５ｃに案内され滑るようにして降下する。そのため、ねじ部３ａや係止段部３ｂに直接接続することがないので、ブラダ９の損傷を防止できるとともに、円滑に挿入することもでできる。
【００１６】
ブラダ９を挿入後、本体開口部３から前記ビニールシート５を取り外す。そして、図５に示すように、ブラダのフランジ部９ａを係止段部３ｂに係止させた後、該本体開口部３に蓋体１２を螺着して前記フランジ部９ａを押圧して固定する。なお、１５は、ブラダ９内に不活性ガス等のガスを給排する給排弁、を示す。
【００１７】
この実施の形態は、上記に限定されるものではなく、例えば、次の様にして良い。
（１）ブラダ挿入シートを、ビニールシートの代わりに、布、細網状シート等を用いても良い。
（２）ブラダ挿入シートに、ブラダの滑りを良くするために,油等を塗布しても良い。
（３）ビニールシートの固定部に粘着テープを設ける代わりに、輪ゴムや永久磁石等を用い、前記固定部を着脱自在に固定するようにしても良い。
【図面の簡単な説明】
【００１８】
【図１】本実施の形態を示す図で、ブラダ挿入シートの平面図である。
【図２】本体開口部にブラダ挿入シートを固定する工程を示す縦断面図である。
【図３】ブラダ挿入シートでねじ部を覆う工程を示す縦断面図である。
【図４】本体開口部にブラダを挿入する工程を示す縦断面図である。
【図５】ブラダ挿着完了状態を示す縦断面図である。
【符号の説明】
【００１９】
３    本体開口部
５    ブラダ挿入シート
７    粘着テープ
９    ブラダ
【図１】
2008215375.tif 000003
【図２】
2008215375.tif 000004
【図３】
2008215375.tif 000005
【図４】
2008215375.tif 000006
【図５】
2008215375.tif 000007